(57)【要約】【課題】ウオーターハンマーが襲ったとしてもその振動で支持部材の支持力が緩むこともなく、しかも支持する配管を締め付け過ぎて変形させることもなく、配管支持作業や内管の交換作業といった各種作業の作業性にも優れた配管支持部材を提供する。【解決手段】配管挿入口を有し挿入された配管の外周を把持する配管把持部と、該配管把持部と一体的に形成されていて躯体に形成されている係止穴に貫通させるボルトと、該ボルトを前記躯体に固定するナットとを有する配管支持部材において、前記ボルトは長さ方向に２つに縦割りされていて、かつ縦割りされたボルトの一方が前記配管把持部の配管挿入口の一端に、他方が前記配管把持部の配管挿入口の他端に、各々縦割りされた面が向き合ったときボルトの形を成すように接続されていることを特徴とする。【選択図】  図４
2004150547.tif 000002
【特許請求の範囲】
【請求項１】
配管挿入口を有し挿入された配管の外周を把持する配管把持部と、該配管把持部と一体的に形成されていて躯体に形成されている係止穴に貫通させるボルトと、該ボルトを前記躯体に固定するナットとを有する配管支持部材において、前記ボルトは長さ方向に２つに縦割りされていて、かつ縦割りされたボルトの一方が前記配管把持部の配管挿入口の一端に、他方が前記配管把持部の配管挿入口の他端に、各々縦割りされた面が向き合ったときボルトの形を成すように接続されていることを特徴とする配管支持部材。
【請求項２】
前記２つに縦割りされたボルトの向き合わせ面には、一方に位置合わせ用凹部が、他方に位置合わせ用凸部が設けられていることを特徴とする請求項１記載の配管支持部材。
【請求項３】
前記ナットの躯体との対向面は高摩擦面を有していることを特徴とする請求項１または請求項２記載の配管支持部材。
【発明の詳細な説明】
【０００１】
【発明の属する技術分野】
本発明は、例えば梁や天井に吊り下げられたＴ字足の如き躯体に、給水給湯管等の配管を係止するために使用する配管支持部材に関するものである。
【０００２】
【従来の技術】
従来から、一般家屋や集合住宅等において、給水管や給湯管を、例えばキッチン、洗面台あるいはバスへと引き回す場合、建物の床下や天井に設けられた空間を利用して引き回す。
ところでこのように引き回した各配管において、例えばウオーターハンマーが発生したりすると、配管があばれて動いてしまう。
そこでこれを防止すべく、引き回した給水管や給湯管を天井や床を構成している梁等を利用して、要所要所支持することが行われている。
【０００３】
具体的には、例えば図１１が示すように、床材３０の下部にあるＨ鋼からなる梁３１のフランジ３２に予め形成されているボルト穴３３（係止穴）を利用し、配管１０を支持したもの（特許文献１）がある。
これは支持必要箇所で配管１０の外周に、一端にバックル３５を有する樹脂製の支持バンド３４を周回させ、支持バンド３４の他端、すなわち末端をボルト穴３３に通した後、その末端を前記バックル３５に通し、かつ締め込んで支持するものである。なお支持バンド３４の内面（配管外周面に接する側の面）には、支持バンド３４の長手方向に直角に複数の突条３６が設けられている。そのためバックル３５に通した支持バンド３４の末端を引っ張って支持バンド３４を締め込んだ後、手を離しても、突条３６がバックル３５に引っ掛かって、この末端が緩む方向に逆戻りしないようになっている。
このように（特許文献１）記載のものは、支持バンド３４を使用して配管１０を必要箇所で梁３１等に支持するものを示している。
【０００４】
【特許文献１】特開２００１−１６５３５６号公報
【０００５】
【発明が解決しようとする課題】
このように図１１に示すものは、床や天井にある梁を利用でき、しかもその梁に既設されているボルト穴を利用し、簡単な係止具で配管を必要箇所で容易に支持できる、という利点を有している。
しかしながらこのような従来の樹脂製の支持バンド３４では、前述したようにバックル３５にバンド内面に設けた突条３６を引っ掛けて締めているだけであるため、激しいウオーターハンマーが襲った場合、突条３６がバックル３５から外れ、支持が緩んでしまうことがある。
また天井等の配管敷設場所は作業空間が狭いため、支持バンド３４で配管１０を支持する際、バンドでの締め付け力の制御が正確に出来ない。
例えば支持が緩過ぎた場合には、前述のように激しいウオーターハンマーが襲うと突条３６がバックル３５から外れ、支持が緩んでしまい易い。支持が最初から緩かったり、ウオーターハンマー等により途中で支持が緩むと、配管１０が温水用の配管の場合、配管１０の熱膨張を支持バンド３４の部分で押さえ切れなくなり、膨張力が配管の継ぎ手にまで及ぶ恐れもある。この場合継ぎ手が損傷することもある。逆に支持が強過ぎるとまた別の問題、すなわち以下の問題が発生する。
【０００６】
この問題は最近の配管構造及び敷設方法に起因している。最初に最近、特に給湯管に使用されている配管１０の構造を説明する。
給湯用の配管１０は、図１２が示すように二重管になっている。これは例えば、可撓性に優れた溝付管からなる樹脂性の外管１０Ａの中に架橋プラスチック管等からなる内管１０Ｂを挿入したものである。
このようにしてなる配管１０では、外管１０Ａが内管１０Ｂを保護するため、内管１０Ｂの寿命を長く保てる、という利点がある。また内管１０Ｂに架橋プラスチック等の耐熱性、耐強度に優れた樹脂材料を使うことで、長期にわたって錆が出ず、しかも熱湯に対しても長期信頼性が高い、という利点もある。
加えて、このような二重構造の配管１０にしておけば、もし内管１０Ｂが損傷しても、外管１０Ａを支持部材で支持した状態のまま、損傷した内管１０Ｂのみ外管１０Ａから引き抜き、新しい内管１０Ｂを容易に再挿入できる、という敷設工法を採用できる。
【０００７】
ところで、前述したように図１１のように支持バンド３４で図１２のような二重構造の配管１０を誤って締め付け過ぎると、外管１０Ａが変形して凹み、その内面が内管１０Ｂを押え付けてしまう。こうなると、もし内管１０Ｂが損傷し、これを引き抜こうとした場合、外管１０Ａとの接触摩擦が大きくなって、内管１０Ｂを引き抜き難くなる。またそれ以上に問題なのは、損傷した内管１０Ｂに換えて新しい内管１０Ｂを挿入する場合、挿入した新しい内管１０Ｂの先端が前記外管１０Ａの凹み箇所で外管１０Ａ内面にぶつかり、この凹み箇所を通過させるのが非常に困難になる、という点である。
前記問題を解決すべく本発明の配管支持部材は、ウオーターハンマーが襲ったとしてもその振動で支持部材の支持力が緩むこともなく、しかも支持する配管を締め付け過ぎて変形させることもなく、配管支持作業や内管の交換作業といった各種作業の作業性にも優れた配管支持部材を提供することにある。
【０００８】
【課題を解決するための手段】
そこで本発明の請求項１記載の配管支持部材は、配管挿入口を有し挿入された配管の外周を把持する配管把持部と、該配管把持部と一体的に形成されていて躯体に形成されている係止穴に貫通させるボルトと、該ボルトを前記躯体に固定するナットとを有する配管支持部材において、前記ボルトは長さ方向に２つに縦割りされていて、かつ縦割りされたボルトの一方が前記配管把持部の配管挿入口の一端に、他方が前記配管把持部の配管挿入口の他端に、各々縦割りされた面が向き合ったときボルトの形を成すように接続されていることを特徴とするものである。
【０００９】
このようにしてなる本発明の請求項１記載の配管支持部材は、長さ方向に２つに縦割りされているボルトを左右に開口して、これから支持する配管に装着し、このボルト上端部に連なる配管把持部を配管外周に嵌着させ、その上で左右に開いた縦割りされた略半分のボルト同士を１本のボルトの形を成すように突合せ、しかる後、そのボルトを梁等の躯体に予め設けてある係止穴に挿嵌し、これをナットで締めれば、配管は配管外周に合わせて設計された内径を有する配管把持部で把持され、仮にナットでボルトを締め付け過ぎても、その過度の締め付け力は配管把持部には及ばないから配管を変形させるような事態は回避できる。もちろん本発明の配管支持部材では、ナットは締め込める位置まで締め込んでおくことを基本にしているから支持が弱過ぎる、という恐れもない。
よって仮に配管が図１２のような二重管であって、この二重管の内管を新しいものに交換する場合でも、配管支持部材装着位置で外管を変形させることがないので、古い内管の引き抜き、新しい内管の挿入作業が極めて容易に行える。
【００１０】
また本発明の請求項２記載の配管支持部材は、前記２つに縦割りされたボルトの向き合わせ面には、一方に位置合わせ用凹部が、他方に位置合わせ用凸部が設けられていることを特徴としている。
そのため、縦割りされた２つの半割れボルトを左右に開いて開口し、配管外周に配管把持部を挿嵌した後、両半割れボルトを割れ面同士を突き合わせて１本のボルトの形にする際、片方の位置合わせ用凸部を他方の位置合わせ用凹部に嵌めるだけで正確かつ簡単に１本のボルト状に形成できる。よって配管支持作業が容易かつ確実に行える。
【００１１】
さらにまた本発明の請求項３記載の配管支持部材は、前記ナットの前記躯体との対向面は高摩擦面を有していることを特徴している。
その結果、梁等の躯体に設けられた係止穴にボルトを挿嵌し、これにナットを嵌め、締め込んだ場合、ナットの下面は高摩擦面になっているため、例えばウオターハンマーや地震で配管が振動してもナットが緩み難くなる。よって長期にわたって配管をしっかりと躯体に支持できる。
【００１２】
【発明の実施の形態】
図１〜図４に本発明の配管支持部材の一実施例を示す。図１は本発明の配管支持部材のナットを外した状態を示す正面図、図２は側面図、そして図３は平面図である。また図４は、図１〜図３に示すものにナットを装着した状態を示す正面図である。
図１〜図３が示すように本発明の配管支持部材は、基本的には、配管挿入口１を有し挿入された配管の外周を把持する配管把持部２と、該配管把持部２と一体的に形成されていて、図１〜図４には図示されていない躯体に形成されている係止穴に貫通させるボルト３と、該ボルト３を躯体に固定するナット４とを有している。
【００１３】
そしてボルト３は、長さ方向に、例えばボルトの中心軸を含む面で２つに縦割りされたボルト３Ａ、３Ｂからなっていて、かつ縦割りされたボルト３の一方であるボルト３Ａが前記配管把持部２の配管挿入口１の一端に、ボルト３Ｂが前記配管把持部２の配管挿入口１の他端に、各々縦割りされた面が向き合ったときボルトの形を成すように接続されている。そして配管把持部２の内径は、支持する配管の外径に合わせて設計されていて、過不足ない力で配管を把持する内径を有している。
図４は、ボルト３Ａ、３Ｂをボルト形状をなすように突合せ、その状態でナット４を締め付けた状態、すなわち本発明の配管支持部材１式を示している。ここで符号２Ａは配管把持部２の内面周方向に必要に応じて設けた突条で、これらを設けておけば、配管が溝付きの可撓管である場合、配管１０の溝に配管把持部２の突条２Ａが嵌って、支持した配管１０が管長手方向に移動し難くなり好ましい。また、符号４Ａはナット４の下部に必要に応じて設けたフランジである。このようにフランジ４Ａを設けることで躯体とナット４の接触面積を大きくして、すなわち摩擦抵抗を大きくして、ナット４が緩み難いようになっている。
さらに図１、図４における符合２Ｃは配管把持部２の外表面中央部に設けた切欠で、配管１０を配管把持部２に挿嵌すべくボルト３Ａ、３Ｂを開く際、この切欠２Ｃがあるとボルト３Ａ、３Ｂを開き易く便利である。もちろんこの切欠２Ｃは必要に応じて設けるもので、必ずしも必要であるわけではない。
【００１４】
また図５のようにナット４の下面に、例えば複数のローレット５を設けておく等躯体に接触する面を高摩擦面にしておけば、配管支持部材を梁等の躯体に支持せしめたとき、配管１０がウオーターハンマーや地震で振動しても躯体に対してナット４が緩む恐れが少なくなる。
図５の場合にはナット４の下面に複数のローレット５を設けているが、これ以外にもナット下面にナット４の中心から放射状に外部に伸びる複数の突条を設けるとか、もっと簡単にはナット下面を粗仕上げにするとか、さらにはナット下面に粘着性の樹脂被覆を施す等すれば高摩擦面を容易に形成できる。
また例えば、前述した放射状の突条を設ける場合、この突条をナット４が緩む方向に傾けて設けると、ナット４が緩もうとした際、突条の先端が躯体表面に食い込むように作用し、緩み方向に対して抵抗体となるので、よりナット４が緩み難くなり好ましい。
なお、本発明の配管支持部材の材料は、金属でも樹脂でもいずれでもよいが、昨今の傾向は軽量で安価という観点から樹脂製である方が好ましい。
【００１５】
次に図６〜図８を用いて本発明の配管支持部材による配管支持方法を詳細に説明する。まず図６が示すように、２つに縦割りされているボルト３Ａ，３Ｂを左右に開いて開口し、配管挿入口１を十分開いて配管１０を挿入し、配管把持部２内にこれを挿嵌する。ここで配管１０としては図１２で示した二重管を使用した。この配管１０の外管１０Ａは溝付管で、内管１０Ｂは溝なしの架橋ポリエチレン製の管からなっている。
配管把持部２に配管１０を挿嵌したら図６に示す半割れのボルト３Ａ，３Ｂを付き合わせ、その際両突き合わせ面に設けられている位置合わせ用凸部３Ｃと位置合わせ用凹部３Ｄとを突合せ、図７に示すように１本のボルト３を形成する。なお、前記位置合わせ用凸部３Ｃと位置合わせ用凹部３Ｄとは本発明の必須要件ではないが、これら位置合わせ用凹凸部がそれぞれあると作業は容易になる。このようにボルト３を１本のボルト形状に形成したら、次に建物の天井等に既設の梁３１等に本発明の配管支持部材を取付ける。
【００１６】
図８の左側の図が示すように、梁３１に予め設けられている係止穴３３に、前述した状態のボルト３を通す。そして、その先端にナット４を嵌め、これを締め込める位置まで締め込んで固定し、支持作業を完了する。完了した状態を図８の右側の図が示している。
図９及び図１０は、実際に天井５０の梁３１や天井に別途設けたＴ字足４０に本発明の配管支持部材を用いて配管１０を支持した例を示している。
図９は梁３１に支持した状態を示しており、左側の図は紙面に対して直角の方向に配管１０を向けて支持した状態を示し、右側の図は配管を紙面に平行に支持した状態を示している。本発明の配管支持部材によれば、いずれの方向にも自在に配管１０を引き回すことができる。
図１０は天井５０に既存の梁３１がない場合に、例えばＴ字足４０を吊って、これに本発明の配管支持部材により配管１０を支持した状態を示している。図１０の左の図は配管１０を紙面に対して直角方向に支持したものであり、右側の図は左の図のＡ方向から敷設状態を見た状態の一部を示している。
【００１７】
以上のようにしてなる本発明の配管支持部材は、部品点数が少なく、またボルトが２つに縦割れ状態になっているため、配管への配管支持部材の装着も容易で、それ故、配管支持作業が極めて容易かつ効率よく行える。
また配管は、配管の外径に合わせた内径を有する配管把持部でその外周をしっかり把持され、かつナットでボルトを締め付けていく力は直接的には配管には及ばない。そのため配管を配管支持部材で締め付け過ぎて変形させ、例えばこの配管が二重管で内管を交換できるタイプのものであった場合には、内管の引き抜き、挿入が困難になるという恐れもない。
さらには、ボルトとナットの組み合わせで支持固定しているから、ウオーターハンマーや地震で配管が振動しても簡単には緩まない。また配管が給湯管であって、内部を熱湯が移動して配管が熱膨張したとしても、配管支持部材が確実に配管を支持しているから、熱膨張が管の継ぎ手にまで及んで継ぎ手を損傷するという恐れも少ない。
【００１８】
【発明の効果】
前述したように本発明の配管支持部材によれば、ボルトとナットの組み合わせで支持しているため、配管を確実に支持でき、しかもウオーターハンマー等が発生しても配管があばれるのを抑え、かつ支持が緩むこともないので、長期にわたって安定して支持が可能である。また部品数も少ないので支持作業が容易である。
加えて梁等の躯体への配管支持の際、その構造から配管を締め付け過ぎることもないので、配管を変形させる恐れもない。そのため配管が二重管で、その内管が交換可能なものである場合、交換作業の際外管に締め付け過ぎによる凹み等の変形が生じることがない。よって内管の引き抜き、挿入に際して外管の変形による障害箇所が存在しないのでこれら作業が容易である。
また本発明の請求項２記載の配管支持部材のように、２つに縦割りしたボルトの突合せ面に、位置合わせ用の凹凸を設ければ支持作業が一層効率よく行える。さらにまた本発明の請求項３記載の配管支持部材のように、ナットの下面を高摩擦面にすれば、一度梁等に固定した配管支持部材のナットが長期にわたって緩み難くなる。よって配管の支持が長期にわたって安定して行える、という利点もある。
【図面の簡単な説明】
【図１】本発明の配管支持部材のナットを外した状態の一実施例を示す正面図である。
【図２】図１に示す本発明の配管支持部材の側面図である。
【図３】図１に示す本発明の配管支持部材の平面図である。
【図４】図１に示す本発明の配管支持部材にナットを装着した状態を示す正面図である。
【図５】図４に示す本発明の配管支持部材の一部であるナットを下方から見た図である。
【図６】本発明の配管支持部材を配管に装着する状態を示す図である。
【図７】本発明の配管支持部材を配管に装着した状態を示す図である。
【図８】本発明の配管支持部材により配管を梁に支持する状態及び支持した状態を各々示す図である。
【図９】本発明の配管支持部材により配管を梁に支持した状態を示す正面図及び側面図である。
【図１０】本発明の配管支持部材により配管をＴ字足に支持した状態を示す正面図及び側面図である。
【図１１】従来の配管支持部材の一例を示す斜視図である。
【図１２】従来から配管に使用されている二重管の断面図である。
【符号の説明】
１  配管挿入口
２  配管把持部
３  ボルト
４  ナット
５  ローレット
１０  配管
３１  梁
４０  Ｔ字足
【図１】
2004150547.tif 000003
【図２】
2004150547.tif 000004
【図３】
2004150547.tif 000005
【図４】
2004150547.tif 000006
【図５】
2004150547.tif 000007
【図６】
2004150547.tif 000008
【図７】
2004150547.tif 000009
【図８】
2004150547.tif 000010
【図９】
2004150547.tif 000011
【図１０】
2004150547.tif 000012
【図１１】
2004150547.tif 000013
【図１２】
2004150547.tif 000014